(57)【要約】【課題】ファクシミリ装置と情報処理装置とを備えた画像処理システム等を提供する。【解決手段】ファクシミリ装置は、選択された第１ファックス番号が示す第１送信先へ第１画像データを送信する。情報処理装置は、入力された第２ファックス番号および第２画像データをファクシミリ装置へ送信する。ファクシミリ装置は、第２ファックス番号および第２画像データを受信する。ファクシミリ装置は、受信した第２ファックス番号が示す第２送信先へ、受信した第２画像データを送信する。ファクシミリ装置は、受信した第２ファックス番号が第１所定条件を満たすか否かを判断する。ファクシミリ装置は、第１所定条件を満たすことが判断された場合に、第２ファックス番号をメモリに記憶させる登録処理を実行する。【選択図】図２
2018142908.tif 000002
【特許請求の範囲】
【請求項１】
ファクシミリ装置と情報処理装置とを備えた画像処理システムであって、
前記ファクシミリ装置は、
前記情報処理装置と通信可能な第１インターフェースと、
ファックス送信することが可能なファクシミリインターフェースと、
複数のファックス番号を記憶するメモリと、
第１コントローラと、
を備え、
前記第１コントローラは、
前記メモリに記憶されている前記複数のファックス番号のうちから第１ファックス番号を選択する操作入力および第１画像データの入力を受け付ける第１の受付手段と、
前記第１の受付手段によって入力が受け付けられた場合に、選択された前記第１ファックス番号が示す第１送信先へ前記第１画像データを前記ファクシミリインターフェースを介して送信する第１のファックスデータ送信手段と、
して機能し、
前記情報処理装置は、
前記ファクシミリ装置と通信可能な第２インターフェースと、
第２ファックス番号および第２画像データの入力を受け付ける第２の受付手段と、
第２コントローラと、
を備え、
前記第２コントローラは、
前記第２の受付手段によって入力が受け付けられた場合に、入力された前記第２ファックス番号および前記第２画像データを前記第２インターフェースを介して前記ファクシミリ装置へ送信する第１の送信手段として機能し、
前記ファクシミリ装置の前記第１コントローラは、
前記第２ファックス番号および前記第２画像データが前記情報処理装置から送信されてきた場合に、前記第２ファックス番号および前記第２画像データを受信する第１の受信手段と、
受信した前記第２ファックス番号が示す第２送信先へ、受信した前記第２画像データを前記ファクシミリインターフェースを介して送信する第２のファックスデータ送信手段と、
前記第１の受信手段が受信した前記第２ファックス番号が第１所定条件を満たすか否かを判断する第１判断手段と、
前記第１所定条件を満たすことが前記第１判断手段によって判断された場合に、前記第２ファックス番号を前記メモリに記憶させる登録処理を実行する第１判断手段と、
してさらに機能することを特徴とする画像処理システム。
【請求項２】
前記第１判断手段は、前記第１の受信手段が同一の前記第２ファックス番号を通算して所定回数以上受信した場合に、前記第１所定条件を満たすと判断することを特徴とする請求項１に記載の画像処理システム。
【請求項３】
前記情報処理装置は複数存在しており、
前記第１判断手段は、前記第１の受信手段が同一の前記第２ファックス番号を所定台数以上の前記情報処理装置から受信した場合に、前記第１所定条件を満たすと判断することを特徴とする請求項１または２に記載の画像処理システム。
【請求項４】
情報処理装置と通信可能な第１インターフェースと、
ファックス送信することが可能なファクシミリインターフェースと、
複数のファックス番号を記憶するメモリと、
コントローラと、
を備えるファクシミリ装置であって、
前記コントローラは、
前記メモリに記憶されている前記複数のファックス番号のうちから第１ファックス番号を選択する操作入力および第１画像データの入力を受け付ける第１の受付手段と、
前記第１の受付手段によって入力が受け付けられた場合に、選択された前記第１ファックス番号が示す第１送信先へ前記第１画像データを前記ファクシミリインターフェースを介して送信する第１のファックスデータ送信手段と、
第２ファックス番号および第２画像データが前記情報処理装置から送信されてきた場合に、前記第２ファックス番号および前記第２画像データを受信する第１の受信手段と、
受信した前記第２ファックス番号が示す第２送信先へ、受信した前記第２画像データを前記ファクシミリインターフェースを介して送信する第２のファックスデータ送信手段と、
前記第１の受信手段が受信した前記第２ファックス番号が第１所定条件を満たすか否かを判断する第１判断手段と、
前記第１所定条件を満たすことが前記第１判断手段によって判断された場合に、前記第２ファックス番号を前記メモリに記憶させる登録処理を実行する第１の記憶制御手段と、
して機能することを特徴とするファクシミリ装置。
【請求項５】
前記第１判断手段は、前記第１の受信手段が同一の前記第２ファックス番号を通算して所定回数以上受信した場合に、前記第１所定条件を満たすと判断することを特徴とする請求項４に記載のファクシミリ装置。
【請求項６】
前記情報処理装置は複数存在しており、
前記第１判断手段は、前記第１の受信手段が同一の前記第２ファックス番号を所定台数以上の前記情報処理装置から受信した場合に、前記第１所定条件を満たすと判断することを特徴とする請求項４または５に記載のファクシミリ装置。
【請求項７】
前記コントローラは、
前記第１の受信手段が前記第２ファックス番号を受信した場合に、前記登録処理の実行指示を受け付けるための第１特定操作を前記情報処理装置に入力することを指示する第１指示画像を前記ファクシミリ装置のプリンタに印刷させる第１指示画像印刷手段と、
前記第１指示画像が印刷された場合に、登録受付情報を前記第１インターフェースを介して前記情報処理装置へ送信する登録受付情報送信手段と、
してさらに機能し、
前記ファクシミリ装置の前記第１判断手段は、前記登録受付情報送信手段が前記登録受付情報を送信した後に、前記情報処理装置から送信されてきた登録指示情報であって前記登録受付情報に対応している前記登録指示情報を前記第１インターフェースを介して受信した場合に、前記第１所定条件が満たされたと判断することを特徴とする請求項４〜５の何れか１項に記載のファクシミリ装置。
【請求項８】
前記第１指示画像印刷手段が前記プリンタに印刷させる前記第１指示画像は、第１文字列を含んでおり、
前記登録受付情報送信手段が送信した前記登録受付情報は、前記情報処理装置に前記第１文字列が入力された場合に、前記第１特定操作が入力されたと判断することを前記情報処理装置に指示する情報であることを特徴とする請求項７に記載のファクシミリ装置。
【請求項９】
前記コントローラは、
前記第１の受信手段が前記第２ファックス番号を受信した場合に、前記登録処理の実行指示を受け付けるための第２特定操作を前記ファクシミリ装置の特定操作部に入力することを指示する第２指示画像を前記ファクシミリ装置のプリンタに印刷させる第２指示画像印刷手段としてさらに機能し、
前記ファクシミリ装置の前記第１判断手段は、前記第２指示画像印刷手段によって前記第２指示画像を印刷した後に、前記特定操作部を介して前記第２特定操作が入力された場合に、前記第１所定条件が満たされたと判断することを特徴とする請求項４〜８の何れか１項に記載のファクシミリ装置。
【請求項１０】
前記ファクシミリ装置は、Ｎ個の操作部をさらに備え、
前記コントローラは、前記メモリに記憶されているＭ個（Ｍは２以上の自然数）の前記ファックス番号のうちから選択されたＮ個（Ｎは１以上の自然数）の選択ファックス番号の各々を、前記Ｎ個の操作部の各々に対応付けて前記メモリに記憶させる第２の記憶制御手段としてさらに機能し、
前記第１の受付手段は、前記Ｎ個の操作部の何れかで操作入力が受け付けられた場合に、入力を受け付けた操作部に対応付けられている前記選択ファックス番号を、前記第１ファックス番号として入力を受け付けることを特徴とする請求項４〜９の何れか１項に記載のファクシミリ装置。
【請求項１１】
前記コントローラは、前記Ｎ個の操作部の何れに前記Ｎ個の選択ファックス番号の何れが対応付けられているかを示す対応画像を、前記ファクシミリ装置のプリンタに印刷させる対応画像印刷手段としてさらに機能することを特徴とする請求項１０に記載のファクシミリ装置。
【請求項１２】
前記コントローラは、
前記Ｎ個の操作部の何れに対応付けられている前記Ｎ個の選択ファックス番号の何れか１つ以上を変更する変更処理を実行する変更条件が成立した場合に、前記変更処理を実行することを示す報知画像および前記変更処理のキャンセルを指示するための第２文字列を前記ファクシミリ装置のプリンタに印刷させる第２文字列印刷手段と、
前記変更条件が成立した場合に、前記変更条件が成立したことを示す変更情報を前記第１インターフェースを介して前記情報処理装置へ送信する変更情報送信手段と、
前記変更情報送信手段が前記変更情報を送信した後に、前記情報処理装置から前記第２文字列に対応する第１キャンセル情報が送信されてきた場合に、送信されてきた前記第１キャンセル情報を前記第１インターフェースを介して受信する第１キャンセル情報受信手段と、
前記第２文字列印刷手段による印刷が実行されてから所定時間内に前記第１キャンセル情報を受信しなかった場合に前記変更処理を実行し、前記第２文字列印刷手段による印刷が実行されてから所定時間内に前記第１キャンセル情報を受信した場合に前記変更処理を実行しない第３の記憶制御手段と、
してさらに機能することを特徴とする請求項１０または１１に記載のファクシミリ装置。
【請求項１３】
前記コントローラは、
前記Ｎ個の操作部の何れに対応付けられている前記Ｎ個の選択ファックス番号の何れか１つ以上を変更する変更処理を実行する条件が成立した場合に、前記変更処理を実行することを示す報知画像および前記変更処理のキャンセルを指示するための第３指示画像を前記ファクシミリ装置のプリンタに印刷させる第３指示画像印刷手段と、
前記第３指示画像印刷手段によって前記報知画像および前記第３指示画像が印刷された後に、前記第３指示画像が印刷された用紙が前記ファクシミリ装置のスキャナで読み取られたか否かを判断する第４判断手段と、
前記第３指示画像印刷手段による印刷が実行されてから所定時間内に前記第３指示画像が印刷された用紙が読み取られなかったことが前記第４判断手段によって判断された場合に前記変更処理を実行し、前記第３指示画像印刷手段による印刷が実行されてから所定時間内に前記第３指示画像が印刷された用紙が読み取られたことが前記第４判断手段によって判断された場合に前記変更処理を実行しない第４の記憶制御手段と、
してさらに機能することを特徴とする請求項１０または１１に記載のファクシミリ装置。
【請求項１４】
前記コントローラは、
前記Ｎ個の操作部の何れに前記Ｎ個の選択ファックス番号の何れが対応付けられているかを示す対応情報を、前記第１インターフェースを介して前記情報処理装置へ送信する対応情報送信手段と、
前記Ｎ個の操作部の何れに対応付けられている前記Ｎ個の選択ファックス番号の何れか１つ以上を変更する変更処理を実行する条件が成立した場合に、前記変更処理を実行することを示す報知画像および前記変更処理をキャンセルするためのキャンセル操作の内容を示すキャンセル画像を前記情報処理装置のディスプレイに表示させる表示指示情報を前記第１インターフェースを介して前記情報処理装置へ送信する表示指示情報送信手段と、
前記表示指示情報送信手段が前記表示指示情報を送信した後に、前記情報処理装置から前記表示指示情報に対応する第２キャンセル情報が送信されてきた場合に、送信されてきた前記第２キャンセル情報を前記第１インターフェースを介して受信する第２キャンセル情報受信手段と、
前記表示指示情報送信手段によって前記表示指示情報が送信されてから所定時間内に前記第２キャンセル情報を受信しなかった場合に前記変更処理を実行し、前記表示指示情報送信手段によって前記表示指示情報が送信されてから所定時間内に前記第２キャンセル情報を受信した場合に前記変更処理を実行しない第５の記憶制御手段と、
してさらに機能することを特徴とする請求項１０に記載のファクシミリ装置。
【発明の詳細な説明】
【技術分野】
【０００１】
本明細書の技術は、ファクシミリ装置と情報処理装置とを備えたシステム等に関するものである。
【背景技術】
【０００２】
ファクシミリ装置とＰＣなどの情報処理装置とを備えたシステムが知られている。特許文献１には、情報処理装置を操作することによって、ファックス装置に備えられたメモリに記憶されているファックス番号等を編集する技術が開示されている。
【先行技術文献】
【特許文献】
【０００３】
【特許文献１】特開２００２−１９０８８６号公報
【発明の概要】
【発明が解決しようとする課題】
【０００４】
特許文献１の技術では、登録を所望するファックス番号を選択する操作等を、ユーザが情報処理装置に対して行う必要が生じる場合がある。
【課題を解決するための手段】
【０００５】
本明細書に開示されている画像処理システムは、ファクシミリ装置と情報処理装置とを備えた画像処理システムであって、ファクシミリ装置は、情報処理装置と通信可能な第１インターフェースと、ファックス送信することが可能なファクシミリインターフェースと、複数のファックス番号を記憶するメモリと、第１コントローラと、を備え、第１コントローラは、メモリに記憶されている複数のファックス番号のうちから第１ファックス番号を選択する操作入力および第１画像データの入力を受け付ける第１の受付手段と、第１の受付手段によって入力が受け付けられた場合に、選択された第１ファックス番号が示す第１送信先へ第１画像データをファクシミリインターフェースを介して送信する第１のファックスデータ送信手段と、して機能し、情報処理装置は、ファクシミリ装置と通信可能な第２インターフェースと、第２ファックス番号および第２画像データの入力を受け付ける第２の受付手段と、第２コントローラと、を備え、第２コントローラは、第２の受付手段によって入力が受け付けられた場合に、入力された第２ファックス番号および第２画像データを第２インターフェースを介してファクシミリ装置へ送信する第１の送信手段として機能し、ファクシミリ装置の第１コントローラは、第２ファックス番号および第２画像データが情報処理装置から送信されてきた場合に、第２ファックス番号および第２画像データを受信する第１の受信手段と、受信した第２ファックス番号が示す第２送信先へ、受信した第２画像データをファクシミリインターフェースを介して送信する第２のファックスデータ送信手段と、第１の受信手段が受信した第２ファックス番号が第１所定条件を満たすか否かを判断する第１判断手段と、第１所定条件を満たすことが第１判断手段によって判断された場合に、第２ファックス番号をメモリに記憶させる登録処理を実行する第１判断手段と、してさらに機能することを特徴とする。
【０００６】
上記の構成によると、情報処理装置からファックス送信した場合に用いたファックス番号のうち、第１所定条件を満たしたファックス番号のみを、ファクシミリ装置のメモリに記憶させることが可能となる。ユーザが情報処理装置を操作して、記憶させるべきファックス番号を選択するなどの操作を不要にできる。ユーザの利便性を高めることができる。
【図面の簡単な説明】
【０００７】
【図１】画像処理システムの構成を示すブロック図である。
【図２】第１動作例に係る画像処理システム１の動作を示すシーケンス図である。
【図３】第１動作例に係る画像処理システム１の動作を示すシーケンス図である。
【図４】第２動作例に係る画像処理システム１の動作を示すシーケンス図である。
【図５】第２動作例に係る画像処理システム１の動作を示すシーケンス図である。
【図６】第２動作例に係る画像処理システム１の動作を示すシーケンス図である。
【図７】第２動作例に係る画像処理システム１の動作を示すシーケンス図である。
【図８】ワンタッチボタン記憶領域１３６の記憶内容を示す図である。
【発明を実施するための形態】
【実施例１】
【０００８】
（通信システムの構成）
図１に、本願に係る実施形態として例示される画像処理システム１のブロック図を示す。画像処理システム１は、第１ＰＣ１０、第２ＰＣ１０ａ、第３ＰＣ１０ｃ、ＭＦＰ１１０、ＡＰ６２、ラベルプリンタ１００を備える。ＡＰ６２は、既知の無線ＬＡＮアクセスポイントである。ＭＦＰ１１０、第１ＰＣ１０〜第３ＰＣ１０ｃ、ラベルプリンタ１００は、ＡＰ６２を介して互いに通信することが可能である。
【０００９】
第１ＰＣ１０は、ＣＰＵ１１、メモリ１２、無線ＬＡＮインターフェース１６、ユーザＩ／Ｆ２０、を主に備えている。ＣＰＵ１１は、メモリ１２に記憶されるプログラムや、無線ＬＡＮ＿Ｉ／Ｆ１６などを介して送受信される各種信号などに従って、各機能の制御を行う。またＣＰＵ１１は、プログラムを読み取ることで、各種の手段として機能する。本明細書では、インターフェースのことを「Ｉ／Ｆ」と記載する場合がある。
【００１０】
無線ＬＡＮ＿Ｉ／Ｆ１６は、Ｗｉ−Ｆｉ（登録商標）方式に従った無線通信（以下では「Ｗｉ−Ｆｉ通信」と呼ぶ）を実行するための通信回路である。
【００１１】
ユーザＩ／Ｆ２０は、ユーザの指示を第１ＰＣ１０に伝えたり、第１ＰＣ１０からの出力結果をユーザに伝えるためのハードウェアの総称である。ユーザＩ／Ｆ２０は、パネル、マウス、キーボード、などを含んでいる。
【００１２】
メモリ１２は、プログラム２１および画像データ記憶領域２３を備える。画像データ記憶領域２３は、複数の画像データを記憶しておく領域である。プログラム２１は、ＦＡＸアプリケーション２１ａ、オペレーティングシステム２１ｇ（以下、ＯＳ２１ｇと記載する）、を備えている。ＯＳ２１ｇは、第１ＰＣ１０全体の制御を行うプログラムである。
【００１３】
ＦＡＸアプリケーション２１ａは、ＭＦＰ１１０にファックス送信を実行させるためのアプリケーションである。ＦＡＸアプリケーション２１ａは、インターネット上の不図示のサーバから第１ＰＣ１０にインストールされてもよいし、ＭＦＰ１１０と共に出荷されるメディアから第１ＰＣ１０にインストールされてもよい。
【００１４】
ＭＦＰ１１０は、ファックス機能や印刷機能などを備える周辺機器である。ＭＦＰ１１０は、スキャナ１１６、無線ＬＡＮ＿Ｉ／Ｆ１１８、プリンタ１２０、ユーザＩ／Ｆ１２１、電話接続Ｉ／Ｆ１２２、コントローラ１３０、を備えている。
【００１５】
スキャナ１１６は、原稿を読み取って画像データを生成する部位である。無線ＬＡＮ＿Ｉ／Ｆ１１８は、Ｗｉ−Ｆｉ通信を実行するための通信回路である。プリンタ１２０は、インクジェット方式、レーザ方式等の印刷機構である。電話接続Ｉ／Ｆ１２２は、公衆回線網１２４を介してファックスデータを送受信するための通信回路である。
【００１６】
ユーザＩ／Ｆ１２１は、ユーザの指示をＭＦＰ１１０に伝えたり、ＭＦＰ１１０からの出力結果をユーザに伝えるためのハードウェアの総称である。ユーザＩ／Ｆ１２１は、タッチパネル、複数のワンタッチボタン、ファックス送信ボタン、ＯＫボタン、などを含んでいる。タッチパネルは、指先などの指示体で画面に触れることで入力を行う装置である。複数のワンタッチボタンには、それぞれ異なるファックス番号が対応づけられている。所望のファックス番号に対応しているワンタッチボタンを押下するだけで、所望のファックス番号をファックス送信先として指定することができる。本明細書の説明例では、第１〜第３ワンタッチボタンの「３個」を備える場合について説明する。ファックス送信ボタンは、ファックス送信処理の実行指示の入力を受け付けるボタンである。ＯＫボタンは、各種の処理の実行指示の入力を受け付けるボタンである。
【００１７】
コントローラ１３０は、ＣＰＵ１３２と、メモリ１３４と、を備える。ＣＰＵ１３２は、メモリ１３４に記憶されているプログラム（図示省略）に従って、様々な処理を実行するプロセッサである。メモリ１３４は、アドレス帳記憶領域１３５、ワンタッチボタン記憶領域１３６、送信履歴記憶領域１３７を備えている。アドレス帳記憶領域１３５は、複数のファックス番号と送信先名称とを記憶しておく領域である。後述する第１動作例で説明するように、アドレス帳記憶領域１３５には、特定の条件を満たしたファックス番号のみが登録される。またアドレス帳記憶領域１３５は、１つのファックス番号に対して、複数の送信先名称を対応付けて記憶することができる。
【００１８】
ワンタッチボタン記憶領域１３６の記憶内容を、図８に示す。ワンタッチボタン記憶領域１３６は、第１ワンタッチボタンＢ１〜第３ワンタッチボタンＢ３の各々に対応付けて、送信先名称Ｎ１〜Ｎ３およびファックス番号Ｆ１〜Ｆ３を記憶している。
【００１９】
送信履歴記憶領域１３７は、過去にファックス送信を実行した送信履歴を記憶する領域である。すなわち、送信履歴記憶領域１３７には、何れのファックス番号に対してファックス送信が何回実施されたかが記憶されている。また、第１ＰＣ１０〜第３ＰＣ１０ｂの何れから、ファックス送信指示が何回出されたかが記憶されている。
【００２０】
またメモリ１３４は、Ｓ１６５の登録受付装置の設定、Ｓ３１５の受付方法設定情報、などを記憶している。
【００２１】
メモリ１２やメモリ１３４は、ハードディスク、ＲＡＭ、ＲＯＭ等によって構成されていてもよい。メモリ１２やメモリ１３４は、コンピュータが読み取り可能なストレージ媒体であってよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００２２】
以降、アプリケーションやＯＳ２１ｇなどのプログラムを実行するＣＰＵ１１のことを、単にプログラム名で記載する場合もある。例えば「ＦＡＸアプリケーション２１ａ」という記載が、「ＦＡＸアプリケーション２１ａを実行するＣＰＵ１１」を意味する場合もある。本明細書において、「第１ＰＣ１０のＣＰＵ１１が、各種の情報を受信する」という記載は、「第１ＰＣ１０のＣＰＵ１１が、携帯電話Ｉ／Ｆ２２や無線ＬＡＮ＿Ｉ／Ｆ１６やＮＦＣ＿Ｉ／Ｆ１５を介して各種の情報を取得する」という技術内容を含んでいるものとする。また、「第１ＰＣ１０のＣＰＵ１１が、各種の情報を送信する」という記載は、「第１ＰＣ１０のＣＰＵ１１が、携帯電話Ｉ／Ｆ２２や無線ＬＡＮ＿Ｉ／Ｆ１６やＮＦＣ＿Ｉ／Ｆ１５を介して各種の情報を出力する」という技術内容を含んでいるものとする。
【００２３】
本明細書のシーケンス図は、基本的に、プログラムに記述された命令に従ったＣＰＵ１１やＣＰＵ１３２の処理を示す。すなわち、以下の説明における「判断」、「抽出」、「選択」、「算出」、「決定」、「特定」、「制御」等の処理は、ＣＰＵ１１やＣＰＵ１３２の処理を表している。ＣＰＵ１１による処理は、ＯＳ２１ｇを介したハードウェア制御も含む。また、本明細書中の「データ」とは、コンピュータに読取可能なビット列で表される。そして、実質的な意味内容が同じでフォーマットが異なるデータは、同一のデータとして扱われるものとする。本明細書中の「情報」についても同様である。
【００２４】
（ＭＦＰ１１０の処理）
ＭＦＰ１１０で行われる、ファックス送信処理を説明する。ユーザは、ユーザＩ／Ｆ１２１に含まれているタッチパネルを操作することで、アドレス帳記憶領域１３５に記憶されている複数のファックス番号のうちから、送信先ファックス番号を選択することができる。または、ユーザは、ユーザＩ／Ｆ１２１に含まれている３個のワンタッチボタンの何れかを押下することで、送信先ファックス番号を選択してもよい。次にユーザは、送信対象の原稿をスキャナ１１６にセットする。ユーザがファックス送信ボタンを押下することにより、原稿がスキャナ１１６で読み込まれ、画像データが生成される。生成された画像データは、電話接続Ｉ／Ｆ１２２および公衆回線網１２４を介して、送信先ファックス番号が示す第１送信先へ送信される。
【００２５】
ＭＦＰ１１０で行われる、ワンタッチボタン編集処理を説明する。ワンタッチボタン編集処理では、アドレス帳記憶領域１３５に記憶されている複数のファックス番号のうちから、３個のファックス番号が選択される。選択された３個のファックス番号は、第１ワンタッチボタンＢ１〜第３ワンタッチボタンＢ３の各々に対応付けて、ワンタッチボタン記憶領域１３６に記憶される。３個のファックス番号を選択する態様は様々であってよい。過去に最も多くファックスが送信された上位３つのファックス番号を、第１ワンタッチボタンＢ１〜第３ワンタッチボタンＢ３の各々に、順番に割り当ててもよい。または、ユーザによって３個のファックス番号が選択されるとしてもよい。
【００２６】
（通信システムの第１動作例）
第１動作例に係る画像処理システム１の動作を、図２および図３のシーケンス図を用いて説明する。第１動作例では、ファックス送信が行われた場合に、使用されたファックス番号を送信履歴記憶領域１３７に記憶させる一連の動作を説明する。また、第１ＰＣ１０とＭＦＰ１１０とが通信する場合を説明する。
【００２７】
Ｓ１００においてＣＰＵ１３２は、ＦＡＸアプリケーション２１ａを起動する。例えば、ユーザＩ／Ｆ２０内のパネルに表示されている、ＦＡＸアプリケーション２１ａの起動アイコンへダブルクリック操作が入力されたことに応じて、ＦＡＸアプリケーション２１ａを起動してもよい。これにより、ＦＡＸアプリケーション２１ａの表示画面が、ユーザＩ／Ｆ２０内のパネルに表示される。
【００２８】
Ｓ１１０においてＦＡＸアプリケーション２１ａは、画像データの選択操作を受け付ける。画像データは、ファックス送信する画像を示すデータである。Ｓ１２０においてＦＡＸアプリケーション２１ａは、ファックス番号の入力を受け付ける。例えば、ユーザＩ／Ｆ２０に含まれているキーボードを介して、ファックス番号の入力を受け付けてもよい。Ｓ１３０においてＦＡＸアプリケーション２１ａは、入力されたファックス番号および画像データを、無線ＬＡＮ＿Ｉ／Ｆ１６を介してＭＦＰ１１０へ送信する。
【００２９】
Ｓ１４０においてＭＦＰ１１０のＣＰＵ１３２は、ファックス番号および画像データを受信する。Ｓ１４３においてＣＰＵ１３２は、受信したファックス番号が示す送信先へ、受信した画像データを電話接続Ｉ／Ｆ１２２を介して送信する。Ｓ１４６においてＣＰＵ１３２は、送信履歴記憶領域１３７に記憶されている送信履歴を更新する。具体的には、Ｓ１４３の送信処理で使用されたファックス番号を、送信履歴記憶領域１３７から検索する。そして、検索されたファックス番号に対応付けられている送信回数を、１カウントアップする。
【００３０】
Ｓ１５０においてＣＰＵ１３２は、Ｓ１４３で使用されたファックス番号のアドレス帳記憶領域１３５への登録可否を判断する。具体的には、第１ＰＣ１０〜第３ＰＣ１０ｂから、同一のファックス番号を通算して所定回数以上受信したか否かを判断する。所定回数は、ＭＦＰ１１０のユーザによって予め定められてもよい。否定判断される場合（Ｓ１５０：ＮＯ）には、処理を終了する。
【００３１】
一方、Ｓ１５０において肯定判断される場合（Ｓ１５０：ＹＥＳ）には、Ｓ１５５へ進む。Ｓ１５５においてＣＰＵ１３２は、Ｓ１４３で使用されたファックス番号のアドレス帳記憶領域１３５への登録可否を判断する。具体的には、同一のファックス番号を所定台数以上の外部装置から受信したか否かを判断する。所定台数は、ＭＦＰ１１０のユーザによって予め定められてもよく、例えば「２台」であってもよい。否定判断される場合（Ｓ１５５：ＮＯ）には処理を終了し、肯定判断される場合（Ｓ１５５：ＹＥＳ）にはＳ１６５へ進む。
【００３２】
Ｓ１６５においてＣＰＵ１３２は、登録受付装置が「外部装置」に設定されているか「多機能機」に設定されているかを判断する。登録受付装置は、登録実行指示を受け付ける装置である。登録実行指示は、Ｓ１４３のファックス送信で使用されたファックス番号を、アドレス帳記憶領域１３５へ登録することを指示するユーザ操作である。「外部装置」は、第１ＰＣ１０〜第３ＰＣ１０ｂの何れかである。登録受付装置が「外部装置」に設定されている場合（Ｓ１６５：外部装置）には、Ｓ１７０へ進む。
【００３３】
Ｓ１７０においてＣＰＵ１３２は、第１指示画像、図８に示すワンタッチボタン記憶領域１３６の内容を示す画像、アドレス帳記憶領域１３５に記憶されているファックス番号の一覧、をプリンタ１２０に印刷させる。第１指示画像は、第１文字列を含んでいる。第１文字列は、ＭＦＰ１１０のユーザが簡単に覚えることができ、第１ＰＣ１０のユーザに入力を簡単に依頼出来るような簡易な文字列であってもよい。例えば、４桁の数字や、数文字程度のＰＩＮコードなどであってもよい。また、第１指示画像内には、「Ｓ１４３で使用されたファックス番号をアドレス帳記憶領域１３５に登録することをユーザが所望する場合には、第１指示画像に含まれている第１文字列を第１ＰＣ１０に入力する必要がある」ことを示す説明文が含まれている。これにより、ＭＦＰ１１０のユーザと第１ＰＣ１０のユーザとが異なる場合に、ＭＦＰ１１０のユーザがＳ１７０で印刷された用紙を第１ＰＣ１０のユーザに渡すことで、第１ＰＣ１０のユーザに第１ＰＣ１０の操作を依頼することが可能となる効果が得られる。なお、後述するＳ３２０、Ｓ４００、Ｓ４７６、Ｓ５１０においても同様の効果が得られる。
【００３４】
Ｓ１８０においてＣＰＵ１３２は、登録受付情報を生成し、生成した登録受付情報を無線ＬＡＮ＿Ｉ／Ｆ１１８を介して第１ＰＣ１０へ送信する。登録受付情報は、「第１ＰＣ１０に第１文字列が入力された場合に、登録実行指示が入力されたと判断する」ことを、第１ＰＣ１０に指示するための情報である。
【００３５】
Ｓ１９０においてＦＡＸアプリケーション２１ａは、登録受付情報を受信する。Ｓ２００においてＦＡＸアプリケーション２１ａは、受信した登録受付情報に基づき、登録実行指示が入力されたか否かを判断する。具体的には、第１文字列と同一の文字列が、ユーザＩ／Ｆ１２１内のキーボードを介して入力されたか否かを判断する。否定判断される場合（Ｓ２００：ＮＯ）には処理を終了し、肯定判断される場合（Ｓ２００：ＹＥＳ）にはＳ２１０へ進む。Ｓ２１０においてＦＡＸアプリケーション２１ａは、登録実行指示情報を、無線ＬＡＮ＿Ｉ／Ｆ１６を介してＭＦＰ１１０へ送信する。登録実行指示情報は、前述した登録実行指示が行われたことを示す情報である。
【００３６】
Ｓ２２０においてＭＦＰ１１０のＣＰＵ１３２は、登録実行指示情報を受信する。これによりＣＰＵ１３２は、登録実行条件が満たされたと判断し、Ｓ２３０へ進む。登録実行条件は、Ｓ１４３で使用されたファックス番号をアドレス帳記憶領域１３５に登録する処理を実行するための条件である。Ｓ２３０においてＣＰＵ１３２は、Ｓ１４３の送信処理で使用されたファックス番号をアドレス帳記憶領域１３５に記憶させる登録処理を実行する。登録処理では、送信先名称の入力を受け付けてもよい。入力された送信先名称は、ファックス番号と対応付けてアドレス帳記憶領域１３５に記憶される。
【００３７】
一方、Ｓ１６５において、登録受付装置が「多機能機」に設定されている場合には、Ｓ２４０へ進む。Ｓ２４０においてＣＰＵ１３２は、第２指示画像をプリンタ１２０に印刷させる。第２指示画像には、「Ｓ１４３で使用されたファックス番号をアドレス帳記憶領域１３５に登録することをユーザが所望する場合には、ユーザＩ／Ｆ１２１に含まれているＯＫボタンを押下する必要がある」ことを示す説明文が含まれている。
【００３８】
Ｓ２５０においてＣＰＵ１３２は、ＯＫボタンが押下されたか否かを判断する。否定判断された場合（Ｓ２５０：ＮＯ）には、処理を終了する。一方、肯定判断された場合（Ｓ２５０：ＹＥＳ）には、登録実行条件が満たされたと判断され、Ｓ２６０へ進む。Ｓ２６０においてＣＰＵ１３２は、登録処理を実行する。登録処理の内容は、Ｓ２３０で説明済みである。
【００３９】
（通信システムの第２動作例）
第２動作例に係る画像処理システム１の動作を、図４〜図７のシーケンス図を用いて説明する。第２動作例では、図８に示すワンタッチボタン記憶領域１３６の内容に変更が発生した場合における一連の動作を説明する。また、第１ＰＣ１０とＭＦＰ１１０とが通信する場合を説明する。
【００４０】
図４の領域Ｒ１では、図２の領域Ｒ１に含まれているＳ１００〜Ｓ１５５までの処理と同様の処理が実行される。図４のＳ３１０においてＣＰＵ１３２は、ワンタッチボタン記憶領域１３６の内容に変更が発生したか否かを判断する。具体的には、３個のワンタッチボタンの各々に対応付けられているファックス番号のうち、何れか１つ以上を変更する変更処理を実行する変更条件が成立したか否かを判断する。変更条件の一例としては、前述したＳ１４６において送信履歴が更新されたことによって、ファックス送信数の１位から３位のファックス番号に入れ替わりが発生した場合が挙げられる。否定判断される場合（Ｓ３１０：ＮＯ）には処理を終了し、肯定判断される場合（Ｓ３１０：ＹＥＳ）にはＳ３１５へ進む。
【００４１】
Ｓ３１５においてＣＰＵ１３２は、受付方法設定情報の内容を判断する。受付方法設定情報は、ワンタッチボタン記憶領域１３６の記憶内容の変更処理をキャンセルする操作を受け付ける方法、および、当該変更処理を確定する操作を受け付ける方法を規定する情報である。受付方法設定情報には、「印刷してスキャン入力」、「印刷して外部装置から入力」、「外部装置に表示して外部装置から入力」、の３種類が存在する。
【００４２】
受付方法設定情報が「印刷して外部装置から入力」に設定されている場合には、Ｓ３２０へ進む。Ｓ３２０においてＣＰＵ１３２は、図８に示すワンタッチボタン記憶領域１３６の内容を示す画像、第１報知画像、第２文字列、をプリンタ１２０に印刷させる。ワンタッチボタン記憶領域１３６の内容を示す画像は、３個のワンタッチボタン各々に対応付けられているファックス番号を示す画像である。この画像により、３個のワンタッチボタンの内容をユーザに認識させることができる。第１報知画像は、変更処理を実行する予定であることを示す画像である。第２文字列は、変更処理のキャンセルを指示するための文字列である。
【００４３】
Ｓ３３０においてＣＰＵ１３２は、変更情報を無線ＬＡＮ＿Ｉ／Ｆ１１８を介して第１ＰＣ１０へ送信する。変更情報は、変更条件が成立したことを示す情報である。また変更情報は、「第１ＰＣ１０に第２文字列が入力された場合に、変更処理をキャンセルする指示が入力されたと判断する」ことを、第１ＰＣ１０に指示するための情報である。
【００４４】
Ｓ３４０においてＦＡＸアプリケーション２１ａは、変更情報を受信する。Ｓ３５０においてＦＡＸアプリケーション２１ａは、変更処理のキャンセル指示が入力されたか否かを判断する。キャンセル指示は、変更処理のキャンセルを指示するユーザ操作である。具体的には、受信した変更情報に含まれている第２文字列と同一の文字列が、ユーザＩ／Ｆ１２１内のキーボードを介して入力されたか否かを判断する。否定判断される場合（Ｓ３５０：ＮＯ）には処理を終了し、肯定判断される場合（Ｓ３５０：ＹＥＳ）にはＳ３６０へ進む。Ｓ３６０においてＦＡＸアプリケーション２１ａは、キャンセル指示情報を、無線ＬＡＮ＿Ｉ／Ｆ１６を介してＭＦＰ１１０へ送信する。キャンセル指示情報は、前述したキャンセル指示を示す情報である。
【００４５】
Ｓ３８０においてＣＰＵ１３２は、Ｓ３２０の印刷が実行されてからの経過時間が所定時間内であるか否かを判断する。所定時間は、ＭＦＰ１１０のユーザによって予め定められてもよい。肯定判断された場合（Ｓ３８０：ＹＥＳ）には、Ｓ３８５へ進む。Ｓ３８５においてＣＰＵ１３２は、キャンセル指示情報を第１ＰＣ１０から受信したか否かを判断する。否定判断される場合（Ｓ３８５：ＮＯ）にはＳ３８０へ戻り、肯定判断される場合（Ｓ３８５：ＹＥＳ）には変更処理を実行することなく動作を終了する。これにより、変更処理をキャンセルする動作が実現される。
【００４６】
一方、Ｓ３８０で否定判断された場合（Ｓ３８０：ＮＯ）には、Ｓ３９０へ進む。Ｓ３９０においてＣＰＵ１３２は、変更処理を実行する。具体的には、ワンタッチボタン記憶領域１３６の内容を変更する。
【００４７】
Ｓ４００においてＣＰＵ１３２は、Ｓ３９０で変更されたワンタッチボタン記憶領域１３６の内容を示す画像、第２報知画像、第３文字列、をプリンタ１２０に印刷させる。第２報知画像は、ワンタッチボタン記憶領域１３６の内容を、変更処理の実行前の状態に復元することが可能であることを示す画像である。第３文字列は、ワンタッチボタン記憶領域１３６の内容を変更処理の実行前に復元する復元処理の実行を指示するための文字列である。復元処理の実行指示は、ユーザ操作である。Ｓ４１０においてＣＰＵ１３２は、更新情報を無線ＬＡＮ＿Ｉ／Ｆ１１８を介して第１ＰＣ１０へ送信する。更新情報は、ワンタッチボタン記憶領域１３６の内容が更新されたことを示す情報である。また更新情報は、「第１ＰＣ１０に第３文字列が入力された場合に、復元処理を実行する」ことを、第１ＰＣ１０に指示するための情報である。Ｓ４２０においてＦＡＸアプリケーション２１ａは、更新情報を受信する。Ｓ４３０においてＦＡＸアプリケーション２１ａは、受信した更新情報に含まれている第３文字列と同一の文字列が、ユーザＩ／Ｆ１２１内のキーボードを介して入力されたか否かを判断する。否定判断される場合（Ｓ４３０：ＮＯ）には処理を終了し、肯定判断される場合（Ｓ４３０：ＹＥＳ）にはＳ４４０へ進む。Ｓ４４０においてＦＡＸアプリケーション２１ａは、復元指示情報を、無線ＬＡＮ＿Ｉ／Ｆ１６を介してＭＦＰ１１０へ送信する。
【００４８】
Ｓ４６０においてＣＰＵ１３２は、Ｓ３９０の変更処理が実行されてからの経過時間が所定時間内であるか否かを判断する。肯定判断された場合（Ｓ４６０：ＹＥＳ）にはＳ４６５へ進む。Ｓ４６５においてＣＰＵ１３２は、復元指示情報を第１ＰＣ１０から受信したか否かを判断する。否定判断される場合（Ｓ４６５：ＮＯ）にはＳ４６０へ戻り、肯定判断される場合（Ｓ４６５：ＹＥＳ）にはＳ４７０へ進み、復元処理を実行する。そして処理を終了する。一方、Ｓ４６０において否定判断された場合（Ｓ４６０：ＮＯ）には、復元処理を実行しない。これにより、ワンタッチボタン記憶領域１３６の内容が、変更処理の実行後の内容で確定する。
【００４９】
Ｓ４７３においてＣＰＵ１３２は、変更処理によって今回新たにワンタッチボタン記憶領域１３６に記憶された新規登録ファックス番号に、複数の送信先名称が対応付けられているか否かを判断する。否定判断される場合（Ｓ４７３：ＮＯ）には処理を終了し、肯定判断される場合（Ｓ４７３：ＹＥＳ）にはＳ４７６へ進む。Ｓ４７６においてＣＰＵ１３２は、第３報知画像をプリンタ１２０に印刷させる。第３報知画像は、新規登録ファックス番号に複数の送信先名称が対応付けられていること、および、新規登録ファックス番号に対応付けられる送信先名称を１つにする必要があることを、ユーザに報知するための画像である。Ｓ４８０においてＣＰＵ１３２は、名称変更情報を無線ＬＡＮ＿Ｉ／Ｆ１１８を介して第１ＰＣ１０へ送信する。名称変更情報は、「新規登録ファックス番号に対応付けられる送信先名称を１つにする」こと、および、「複数の送信先名称を表示する」ことを、第１ＰＣ１０に指示するための情報である。
【００５０】
Ｓ４８３においてＦＡＸアプリケーション２１ａは、名称変更情報を受信する。Ｓ４８６においてＦＡＸアプリケーション２１ａは、１つの送信先名称が選択されたか否かを判断する。例えば、表示されている複数の送信先名称のうちの何れか１つを選択する操作が入力されたか否かを判断してもよい。また例えば、複数の送信先名称の何れとも異なる新規の送信先名称が、ユーザＩ／Ｆ１２１内のキーボードを介して入力されたか否かを判断してもよい。否定判断される場合（Ｓ４８６：ＮＯ）には処理を終了し、肯定判断される場合（Ｓ４８６：ＹＥＳ）にはＳ４９０へ進む。Ｓ４９０においてＦＡＸアプリケーション２１ａは、送信先名称情報を、無線ＬＡＮ＿Ｉ／Ｆ１６を介してＭＦＰ１１０へ送信する。送信先名称情報は、新規登録ファックス番号に対応付けられる１つの送信先名称を示す情報である。
【００５１】
Ｓ４９３においてＭＦＰ１１０のＣＰＵ１３２は、送信先名称情報を受信する。Ｓ４９６においてＣＰＵ１３２は、新規登録ファックス番号と送信先名称情報が示す送信先名称とを対応付けた上で、ワンタッチボタン記憶領域１３６に記憶させる。
【００５２】
Ｓ５００においてＣＰＵ１３２は、ワンタッチボタン記憶領域１３６の内容を示すデータを、無線ＬＡＮ＿Ｉ／Ｆ１１８を介してラベルプリンタ１００へ送信する。これにより、ラベルプリンタ１００では第１ワンタッチボタンＢ１〜第３ワンタッチボタンＢ３の各々に割り当てられている送信先名称Ｎ１〜Ｎ３を、ラベルに印刷できる。印刷された第１ワンタッチボタンＢ１〜第３ワンタッチボタンＢ３の近傍に貼付することで、ユーザがワンタッチボタンの内容を認識することが可能となる。
【００５３】
一方、Ｓ３１５において、受付方法設定情報が「印刷してスキャン入力」に設定されていると判断された場合には、Ｓ５１０へ進む。Ｓ５１０においてＣＰＵ１３２は、図８に示すワンタッチボタン記憶領域１３６の内容を示す画像、第１報知画像、第３指示画像をプリンタ１２０に印刷させる。第１報知画像は、変更処理を実行する予定であることを示す画像である。第３指示画像は、変更処理のキャンセル、および、編集処理の実行を指示するための画像である。編集処理は、ワンタッチボタン記憶領域１３６の内容を、ユーザの所望する内容に編集する処理である。例えば、第３指示画像は、変更処理のキャンセルを受け付けるためのチェックボックスや、編集処理を受け付けるための記載欄を含んでいてもよい。また例えば、第３指示画像は、ワンタッチボタン記憶領域１３６の内容を示す画像に含まれるファックス番号を二重線で消して、消したファックス番号に換えてワンタッチボタンに登録したいファックス番号を変更欄に記入すると、ワンタッチボタンの登録を入れ替えられることを示す画像を含んでいてもよい。また、第３指示画像は、「変更処理をキャンセルすることをユーザが所望する場合には、チェックボックスにマークを記入してＭＦＰ１１０のスキャナ１１６に読み込ませる必要がある」ことや、「編集処理を行う場合には、編集対象となるファックス番号と編集後のファックス番号を記入してＭＦＰ１１０のスキャナ１１６に読み込ませる必要がある」ことを示す説明文が含まれている。
【００５４】
ユーザは、Ｓ５１０で印刷された用紙に、キャンセル指示や編集指示を記入する。具体的には、第３指示画像内のチェックボックスにマークを書き込んだり、記載欄にファックス番号を書き込む。ユーザは、キャンセル指示や編集指示が書き込まれた用紙をスキャナ１１６にセットし、スキャン実行ボタンを押下する。これにより、変更処理をキャンセルすることや、編集処理を行うことが可能となる。
【００５５】
Ｓ５１５においてＣＰＵ１３２は、Ｓ５１０の印刷が実行されてからの経過時間が所定時間内であるか否かを判断する。所定時間は、ＭＦＰ１１０のユーザによって予め定められてもよい。Ｓ５１５で否定判断された場合（Ｓ５１５：ＮＯ）には、Ｓ５２５へ進む。Ｓ５２５においてＣＰＵ１３２は、ワンタッチボタン記憶領域１３６の内容を変更する変更処理を実行する。そしてＳ４００へ戻る。一方、Ｓ５１５で肯定判断された場合（Ｓ５１５：ＹＥＳ）には、Ｓ５３５へ進む。Ｓ５３５においてＣＰＵ１３２は、スキャン実行ボタンが押下されたか否かを判断する。否定判断される場合（Ｓ５３５：ＮＯ）にはＳ５１５へ戻り、肯定判断される場合（Ｓ５３５：ＹＥＳ）にはＳ５４０へ進む。Ｓ５４０においてＣＰＵ１３２は、セットされた用紙をスキャナ１１６にスキャンさせる。
【００５６】
Ｓ５５０においてＣＰＵ１３２は、スキャンされた用紙に書き込まれている指示内容を判断する。指示内容が「編集処理の実行」であると判断された場合には、Ｓ５５５へ進む。Ｓ５５５においてＣＰＵ１３２は、ワンタッチボタン記憶領域１３６の内容を編集する。例えば、３個のワンタッチボタンの各々に対応付けられているファックス番号のうちの何れか１つ以上を、ユーザが選択したファックス電話番号に置換してもよい。そして処理を終了する。
【００５７】
一方、Ｓ５５０において指示内容が「変更処理のキャンセル」であると判断された場合には、変更処理を実行することなく動作を終了する。
【００５８】
一方、Ｓ３１５において、受付方法設定情報が「外部装置に表示して外部装置から入力」に設定されていると判断された場合には、Ｓ６１０へ進む。Ｓ６１０においてＣＰＵ１３２は、表示指示情報および対応情報を、無線ＬＡＮ＿Ｉ／Ｆ１１８を介して第１ＰＣ１０へ送信する。表示指示情報は、変更処理を実行することを示す報知画像およびキャンセル画像を、第１ＰＣ１０のディスプレイに表示させることを、第１ＰＣ１０に指示するための情報である。キャンセル画像は、変更処理をキャンセルするためのキャンセル指示の入力を受け付ける画像である。対応情報は、３個のワンタッチボタンの各々に対応付けられている３個のファックス番号を示す情報である。
【００５９】
Ｓ６２０においてＦＡＸアプリケーション２１ａは、表示指示情報を受信する。Ｓ６２５においてＦＡＸアプリケーション２１ａは、報知画像およびキャンセル画像を、ユーザＩ／Ｆ２０内のパネルに表示する。Ｓ６３０においてＦＡＸアプリケーション２１ａは、変更処理のキャンセル指示が入力されたか否かを判断する。例えば、キャンセル画像に含まれているキャンセルボタンが選択されたか否かを判断してもよい。否定判断される場合（Ｓ６３０：ＮＯ）には処理を終了し、肯定判断される場合（Ｓ６３０：ＹＥＳ）にはＳ６４０へ進む。Ｓ６４０においてＦＡＸアプリケーション２１ａは、キャンセル指示情報を、無線ＬＡＮ＿Ｉ／Ｆ１６を介してＭＦＰ１１０へ送信する。
【００６０】
Ｓ６６０においてＣＰＵ１３２は、Ｓ６１０において表示指示情報が送信されてからの経過時間が所定時間内であるか否かを判断する。所定時間は、ＭＦＰ１１０のユーザによって予め定められてもよい。肯定判断された場合（Ｓ６６０：ＹＥＳ）には、Ｓ６６５へ進む。Ｓ６６５においてＣＰＵ１３２は、キャンセル指示情報を第１ＰＣ１０から受信したか否かを判断する。否定判断される場合（Ｓ６６５：ＮＯ）にはＳ６６０へ戻り、肯定判断される場合（Ｓ６６５：ＹＥＳ）には変更処理を実行することなく動作を終了する。一方、Ｓ６６０で否定判断された場合（Ｓ６６０：ＮＯ）には、Ｓ６７０へ進む。Ｓ６７０においてＣＰＵ１３２は、変更処理を実行する。そしてＳ４００へ戻る。
【００６１】
（効果）
本明細書に記載されている技術が解決する課題の一例を説明する。本明細書の画像処理システム１を、複数のユーザで共用する場合がある。ＰＣの操作に慣れているユーザは、第１ＰＣ１０のＦＡＸアプリケーション２１ａを用いて、ファックスを送信する。一方、ＰＣの操作に不慣れなユーザは、ＭＦＰ１１０のユーザＩ／Ｆ１２１を操作して、ファックスを送信する。すると、ＰＣの操作に慣れているユーザがＦＡＸアプリケーション２１ａで用いたファックス番号を、ＰＣの操作に不慣れなユーザがＭＦＰ１１０のアドレス帳記憶領域１３５に記憶させる、という状況が発生しうる。しかし、ＰＣの操作に不慣れなユーザが、ＦＡＸアプリケーション２１ａで使用されたファックス番号を、ＭＦＰ１１０のアドレス帳記憶領域１３５に記憶させることが難しい場合がある。ＭＦＰ１１０のユーザＩ／Ｆ１２１は、第１ＰＣ１０のユーザＩ／Ｆ２０に比して、一般的に操作しにくいためである。また、ＰＣの操作に不慣れなユーザは、ＭＦＰ１１０の操作にも不慣れな場合が多いためである。そこで本明細書に記載の技術では、ＭＦＰ１１０は、第１ＰＣ１０からファックス番号を受信した場合（Ｓ１４０）には、第１指示画像を印刷（Ｓ１７０）することができる。これにより、ＰＣの操作に不慣れなユーザは、ＦＡＸアプリケーション２１ａで使用されたファックス番号をＭＦＰ１１０に登録する操作（Ｓ２００）を、ＰＣの操作に慣れているユーザに対して、第１指示画像が印刷された書面を用いて依頼することが可能となる。ＭＦＰ１１０のユーザが第１ＰＣ１０の操作に不慣れな場合においても、ＦＡＸアプリケーション２１ａで使用されたファックス番号を確実にＭＦＰ１１０に登録することが可能となる。
【００６２】
ＭＦＰ１１０のＯＫボタンを押下（Ｓ２５０：ＹＥＳ）することや、登録実行指示を第１ＰＣ１０に入力（Ｓ２００：ＹＥＳ）することによって、第１ＰＣ１０からファックス送信（Ｓ１３０）した場合に用いたファックス番号のうち、ユーザに指定されたファックス番号のみをアドレス帳記憶領域１３５に記憶（Ｓ２３０、Ｓ２６０）させることが可能となる。アドレス帳記憶領域１３５に記憶させるべきファックス番号を、ユーザが第１ＰＣ１０のユーザＩ／Ｆ２０を操作して選択するなどの操作を不要にできる。ユーザの利便性を高めることができる。
【００６３】
第１ＰＣ１０〜第３ＰＣ１０ｂから、同一のファックス番号を通算して所定回数以上受信した場合（Ｓ１５０：ＹＥＳ）には、当該ファックス番号をアドレス帳記憶領域１３５に記憶（Ｓ２３０、Ｓ２６０）させることができる。これにより、使用頻度の高いファックス番号を、自動で抽出してアドレス帳記憶領域１３５に記憶させることができる。
【００６４】
第１ＰＣ１０〜第３ＰＣ１０ｂのうち、所定台数以上のＰＣから同一のファックス番号を受信した場合（Ｓ１５５：ＹＥＳ）には、当該ファックス番号をアドレス帳記憶領域１３５に記憶（Ｓ２３０、Ｓ２６０）させることができる。これにより、広く使用されるファックス番号を、自動で抽出してアドレス帳記憶領域１３５に記憶させることができる。
【００６５】
ＭＦＰ１１０は、第１ＰＣ１０からファックス番号を受信した場合（Ｓ１４０）には、第２指示画像を印刷（Ｓ２４０）することができる。これにより、ファックス番号を登録する操作（Ｓ２５０）の内容を、ＭＦＰ１１０のユーザに対して書面で説明することが可能となる。ＭＦＰ１１０のユーザがＭＦＰ１１０の操作に不慣れな場合においても、ファックス番号を確実に登録することが可能となる。
【００６６】
Ｓ１７０で印刷された第１指示画像に含まれている第１文字列を、第１ＰＣ１０に入力（Ｓ２００：ＹＥＳ）することで、登録実行指示をＭＦＰ１１０へ送信（Ｓ２１０）することができる。第１ＰＣ１０に登録実行指示を入力する操作を簡略化することが可能となる。
【００６７】
Ｓ３２０で印刷された第２文字列を、所定時間内に第１ＰＣ１０に入力（Ｓ３５０：ＹＥＳ）することで、変更処理のキャンセル指示情報をＭＦＰ１１０へ送信（Ｓ３６０）することができる。第１ＰＣ１０にキャンセル指示を入力する操作を簡略化することが可能となる。
【００６８】
ワンタッチボタン記憶領域１３６の内容に変更が発生した場合（Ｓ３１０：ＹＥＳ）には、第３指示画像を印刷（Ｓ５１０）することができる。そして、変更処理のキャンセル指示が書き込まれた第３指示画像が所定時間内にスキャナで読み取られた場合（Ｓ５３５：ＹＥＳ、Ｓ５５０：変更処理のキャンセル）に、変更処理をキャンセルすることができる。これにより、変更処理のキャンセル操作を簡易化することができる。ＭＦＰ１１０のユーザがＭＦＰ１１０の操作に不慣れな場合においても、変更処理を確実にキャンセルすることが可能となる。
【００６９】
ワンタッチボタン記憶領域１３６の内容に変更が発生した場合（Ｓ３１０：ＹＥＳ）には、キャンセル画像を第１ＰＣ１０のディスプレイに表示（Ｓ６２５）させることができる。そして、キャンセル指示が所定時間内に第１ＰＣ１０に入力された場合（Ｓ６３０：ＹＥＳ）に、変更処理をキャンセル（Ｓ６６５：ＹＥＳ）することができる。これにより、変更処理のキャンセル操作を第１ＰＣ１０のユーザに実行させることが可能となる。ＭＦＰ１１０のユーザが第１ＰＣ１０の操作に不慣れな場合においても、変更処理を確実にキャンセルすることが可能となる。
【００７０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。例えば、以下の変形例が含まれる。
【００７１】
（変形例）
Ｓ２３０やＳ２６０において、送信先名称およびファックス番号をアドレス帳記憶領域１３５に記憶させる場合に、今回記憶させる送信先名称と同一の送信先名称がアドレス帳記憶領域１３５に記憶済みであるかを判断してもよい。同一の送信先名称が記憶済みである場合には、その送信先名称に対応付けられているファックス番号が、今回記憶させるファックス番号と同一であるかを判断してもよい。そのファックス番号が、今回記憶させるファックス番号と異なる場合には、１つのファックス番号を選択するための選択処理を実行するとしてもよい。選択処理は、Ｓ４７６〜Ｓ４９６で説明した処理と同様である。具体的には、第３報知画像を、「１つの送信先名称に複数のファックス番号が対応付けられていること、および、１つの送信先名称に対応付けられるファックス番号を１つにする必要があることを、ユーザに報知するための画像」と読み替えればよい。また、名称変更情報を、ファックス番号変更情報に読み替えればよい。ファックス番号変更情報は、「１つの送信先名称に対応付けられるファックス番号を１つにする」ことを、第１ＰＣ１０に指示するための情報である。また、送信先名称情報を、選択ファックス番号情報に読み替えればよい。選択ファックス番号情報は、１つの送信先名称に対応付けられる１つのファックス番号を示す情報である。また、ワンタッチボタン記憶領域１３６をアドレス帳記憶領域１３５に読み替えればよい。
【００７２】
ユーザＩ／Ｆ１２１に含まれる３個のワンタッチボタン、ファックス送信ボタン、ＯＫボタンは、物理ボタンに限られない。タッチパネルに表示されたボタン画像でもよい。
【００７３】
Ｓ５１０で印刷される第３指示画像において、変更処理のキャンセルを受け付けるための態様は、チェックボックスに限られず、様々な態様が可能である。例えば第３指示画像が、更新処理を実行するか否かの選択肢を含んでいてもよい。ユーザが何れかの選択肢を丸で囲んでスキャン（Ｓ５４０）することで、キャンセル指示の可否が受け付けられるとしてもよい。
【００７４】
Ｓ１８０において、ＭＦＰ１１０は、登録待ちとなっているファックス番号と、そのファックス番号を最近に使ったＰＣとに対応付けて、一意な登録受付情報を生成してもよい。Ｓ１７０では、一意な登録受付情報に対応づけられているＰＣの名称も印刷するとしてもよい。Ｓ２３０では、Ｓ２２０で受信した登録受付情報の送信元ＰＣが、受信した登録受付情報に対応付けられているＰＣであるかを判断してもよい。そして肯定判断される場合に、登録受付情報に対応するファックス番号を登録（Ｓ２３０）してもよい。
【００７５】
図２のＳ１９０において登録受付情報を受信した場合に、ＦＡＸアプリケーション２１ａは、登録実行指示の入力を受け付けるための画面を、ユーザＩ／Ｆ２０内のパネルに表示してもよい。
【００７６】
図２のＳ１６５において、登録実行指示を受け付ける方法として、「外部装置に表示して外部装置から入力」する方法を選択できるとしてもよい。この場合、Ｓ１７０〜Ｓ２２０の処理に代えて、Ｓ６１０〜Ｓ６６５の処理を実行すればよい。また、Ｓ６１０では、登録実行指示の入力を受け付けるための画面を第１ＰＣ１０のディスプレイに表示させるための情報を送信すればよい。Ｓ６２５では、登録実行指示の入力を受け付けるための画面を表示すればよい。Ｓ６３０では、登録実行指示が入力されたか否かを判断すればよい。Ｓ６４０では、登録実行指示情報を送信すればよい。
【００７７】
Ｓ１７０〜Ｓ２３０、Ｓ２４０〜Ｓ２６０では、登録指示の方法を印刷し、登録指示を受け付けたら登録（Ｓ２３０、Ｓ２６０）する態様を説明した。しかしこの形態に限られない。キャンセル指示の方法を印刷し、所定時間内にキャンセル指示がなければ登録する態様であってもよい。
また、Ｓ１７０〜Ｓ２３０、Ｓ２４０〜Ｓ２６０において、登録の方法を印刷してから所定時間内に登録指示を受け付けなかった場合には、所定時間の経過以降に登録実行指示情報を受信（Ｓ２２０）または登録実行指示が入力（２５０：ＹＥＳ）されても登録処理を実行しない、としてもよい。
【００７８】
Ｓ３４０〜Ｓ３９０、Ｓ５１０〜Ｓ５５５、Ｓ６１０〜Ｓ６７０では、キャンセル指示の方法を印刷し、所定時間経ってもキャンセル指示を受け付なかった場合には登録処理を行う形態を説明したが、この形態に限られない。登録指示の方法を印刷し、所定時間内に登録指示を受け付けたら登録する態様であってもよい。
【００７９】
Ｓ２００の、登録実行指示が入力されたか否かの判断は、ＭＦＰ１１０が行ってもよい。この場合、第１ＰＣ１０は、登録受付情報を受信（Ｓ１９０）した後に入力された情報を、当該情報の内容を判断することなくＭＦＰ１１０に送信（Ｓ２１０）すればよい。ＭＦＰ１１０は、第１ＰＣ１０から送信されてきた情報が、自身が生成した登録受付情報であるか否かを判断し、肯定判断される場合にはＳ２３０を実行すればよい。また、Ｓ３５０、Ｓ４３０、Ｓ６３０の判断についても同様に、ＭＦＰ１１０が行ってもよい。
【００８０】
Ｓ５００において、第１ワンタッチボタンＢ１〜第３ワンタッチボタンＢ３の各々に貼ることができるサイズのラベル、または、各々のワンタッチボタンの近傍に貼ることができるサイズのラベルを、ラベルプリンタ１００に印刷させてもよい。これにより、ＭＦＰ１１０のユーザが、ラベルプリンタ１００やＭＦＰ１１０の操作が得意でない場合においても、ラベルを貼ることで、当該ユーザがワンタッチボタンを容易に使いこなすことが可能になる。
【００８１】
Ｓ４００〜Ｓ４７０の処理よりも前に、Ｓ４７３の処理を実行してもよい。そして、Ｓ４７３で否定判断される場合には、Ｓ４００〜Ｓ４７０を実行してもよい。Ｓ４７３で肯定判断される場合には、Ｓ４７６へ進み、第３報知画像と、Ｓ４００で印刷する画像との両方を印刷してもよい。Ｓ４８０において、名称変更情報と、Ｓ４１０で送信する情報との両方を第１ＰＣ１０へ送信してもよい。第１ＰＣ１０において送信先名称が入力されたら（Ｓ４８６：ＹＥＳ相当）、Ｓ４９０〜Ｓ４９６を実行し、第１ＰＣ１０において第３文字列が入力されたら（Ｓ４３０：ＹＥＳ相当）、Ｓ４４０〜Ｓ４７０を実行してもよい。
【００８２】
Ｓ１５０およびＳ１５５の処理は、省略することが可能である。Ｓ４００〜Ｓ４７０の処理は、省略することが可能である。Ｓ４７３〜Ｓ５００の処理は、省略することが可能である。登録受付装置が「外部装置」または「多機能機」の一方に予め定められていてもよい。この場合、Ｓ１６５の処理を省略することができる。変更処理をキャンセルする操作を受け付ける方法は、「印刷してスキャン入力」、「印刷して外部装置から入力」、「外部装置に表示して外部装置から入力」、の３種類のうちの何れか１つに予め定められていてもよい。この場合、Ｓ３１５の処理を省略することができる。また、Ｓ１５０の処理と、Ｓ１５５の処理と、Ｓ１７０〜Ｓ２２０の処理と、Ｓ２４０〜Ｓ２５０の処理は、全て実装している必要はなく、何れかが省略されていてもよい。以上より、一般的に言うと、画像処理システム１は、「第１の受付手段」と、「第１のファックスデータ送信手段」と、「第１の送信手段」と、「第１の受信手段」と、「第２のファックスデータ送信手段」と、「第１判断手段」と、「第１判断手段」と、して少なくとも情報処理装置を機能させれば良い。具体例としては、プログラムは、Ｓ１３０と、Ｓ１４０と、Ｓ１４３と、Ｓ１５０およびＳ１５５およびＳ２２０およびＳ２５０と、Ｓ２３０およびＳ２６０と、を少なくとも実行すればよい。
【００８３】
画像処理システム１に備えられる多機能機およびＰＣは、図示されたものに限るものではない。また、第１ＰＣ１０〜第３ＰＣ１０ｂとＭＦＰ１１０等との接続は、無線ＬＡＮに限らない。有線ＬＡＮケーブル、ＵＳＢケーブル、シリアル通信ケーブル、パラレル通信ケーブル等であってもよい。
【００８４】
ＭＦＰ１１０は、ファックス機能を備えるものであれば、何れの形態の装置であってもよい。また、第１ＰＣ１０〜第３ＰＣ１０ｂは、多機能機に対してファックス送信ジョブを投入する装置であればよく、スマートフォンやＰＤＡであってもよい。
【００８５】
また、実施の形態に開示されている処理は、単一のＣＰＵ、複数のＣＰＵ、ＡＳＩＣなどのハードウェア、またはそれらの組み合わせで実行されてもよい。また、実施の形態に開示されている処理は、その処理を実行するためのプログラムを記録した記録媒体、または方法等の種々の態様で実現することができる。
【００８６】
ＭＦＰ１１０は、ファクシミリ装置の一例である。第１ＰＣ１０〜第３ＰＣ１０ｂは、情報処理装置の一例である。無線ＬＡＮ＿Ｉ／Ｆ１１８は、第１インターフェースの一例である。電話接続Ｉ／Ｆ１２２は、ファクシミリインターフェースの一例である。ＣＰＵ１３２は、第１コントローラの一例である。送信先ファックス番号は、第１ファックス番号の一例である。無線ＬＡＮ＿Ｉ／Ｆ１６は、第２インターフェースの一例である。Ｓ１１０およびＳ１２０を実行するＣＰＵは、第２の受付手段の一例である。ＣＰＵ１１は、第２コントローラの一例である。Ｓ１３０を実行するＣＰＵは、第１の送信手段の一例である。Ｓ１４０を実行するＣＰＵは、第１の受信手段の一例である。Ｓ１４３を実行するＣＰＵは、第２のファックスデータ送信手段の一例である。登録実行条件は、第１所定条件の一例である。Ｓ１５０、Ｓ１５５、Ｓ２２０、Ｓ２５０を実行するＣＰＵは、第１判断手段の一例である。Ｓ２３０、Ｓ２６０を実行するＣＰＵは、第１の記憶制御手段の一例である。登録実行指示の入力は、第１特定操作の一例である。Ｓ１７０を実行するＣＰＵは、第１指示画像印刷手段の一例である。Ｓ１８０を実行するＣＰＵは、登録受付情報送信手段の一例である。ＯＫボタンは、特定操作部の一例である。Ｓ２４０を実行するＣＰＵは、第２指示画像印刷手段の一例である。３個のワンタッチボタンは、Ｎ個の操作部の一例である。ワンタッチボタン記憶領域１３６の内容を示す画像は、対応画像の一例である。Ｓ３２０、Ｓ５１０を実行するＣＰＵは、対応画像印刷手段の一例である。Ｓ３２０を実行するＣＰＵは、第２文字列印刷手段の一例である。Ｓ３３０を実行するＣＰＵは、変更情報送信手段の一例である。キャンセル指示情報は、第１キャンセル情報の一例である。Ｓ３８５を実行するＣＰＵは、第１キャンセル情報受信手段の一例である。Ｓ３８０、Ｓ３８５およびＳ３９０を実行するＣＰＵは、第３の記憶制御手段の一例である。Ｓ５１０を実行するＣＰＵは、第３指示画像印刷手段の一例である。Ｓ５５０を実行するＣＰＵは、第４判断手段の一例である。Ｓ５１５およびＳ５２５を実行するＣＰＵは、第４の記憶制御手段の一例である。Ｓ６１０を実行するＣＰＵは、対応情報送信手段の一例である。Ｓ６１０を実行するＣＰＵは、表示指示情報送信手段の一例である。キャンセル指示情報は、第２キャンセル情報の一例である。Ｓ６６５を実行するＣＰＵは、第２キャンセル情報受信手段の一例である。Ｓ６６０、Ｓ６６５およびＳ６７０を実行するＣＰＵは、第５の記憶制御手段の一例である。
【符号の説明】
【００８７】
１０：第１ＰＣ、１１および１３２：ＣＰＵ、１６および１１８：無線ＬＡＮ＿Ｉ／Ｆ、２１ａ：ＦＡＸアプリケーション、１１０：多機能機、１１６：スキャナ、１２２：電話接続Ｉ／Ｆ、１３５：アドレス帳記憶領域、１３６：ワンタッチボタン記憶領域
【図１】
2018142908.tif 000003
【図２】
2018142908.tif 000004
【図３】
2018142908.tif 000005
【図４】
2018142908.tif 000006
【図５】
2018142908.tif 000007
【図６】
2018142908.tif 000008
【図７】
2018142908.tif 000009
【図８】
2018142908.tif 000010